【手続補正書】
【提出日】平成20年11月11日(2008.11.11)
【手続補正１】
【補正対象書類名】特許請求の範囲
【補正対象項目名】全文
【補正方法】変更
【補正の内容】
【特許請求の範囲】
【請求項１】
燃料が供給されたアノードと酸化剤が供給されたカソードとを有する燃料電池のコンディショニング方法であって、
i．第１の外部負荷を該燃料電池に適用して、開放電圧未満の第１の電圧を、約２０分未満である第１の時間生成する工程と、
ii．該第１の外部負荷を、約２分未満である第２の時間取り除く工程と、
iii．第２の外部負荷を該燃料電池に適用して、開放電圧未満の第２の電圧を、約２０分未満である第３の時間生成する工程と
を含む、方法。
【請求項２】
前記燃料電池が、ポリマー電解質膜燃料電池を含む、請求項１に記載の方法。
【請求項３】
前記第１及び第２の外部負荷が、前記第１の電圧が前記第２の電圧と異なるように選択される、請求項２に記載の方法。
【請求項４】
前記コンディショニング方法が、前記燃料電池の最初の約２４時間の動作の最中に、前記燃料電池に適用される、請求項２に記載の方法。
【請求項５】
前記コンディショニング方法が、前記燃料電池の約２４時間の動作の後に、前記燃料電池に適用される、請求項２に記載の方法。
【請求項６】
前記第１の時間が約５秒よりも長い、請求項２に記載の方法。
【請求項７】
前記第２の時間が約５秒よりも長い、請求項２に記載の方法。
【請求項８】
前記第３の時間が約５秒よりも長い、請求項２に記載の方法。
【請求項９】
前記処理工程のいずれかの最中に、液体水を前記燃料電池に適用することをさらに含む、請求項２に記載の方法。
【請求項１０】
前記ポリマー電解質膜燃料電池の前記アノードに、約１ｐｓｉｇより大きい燃料圧力を適用し、かつ前記ポリマー電解質膜燃料電池の前記カソードに該燃料圧力と同様の酸化剤圧力を適用する工程をさらに含む、請求項２に記載の方法。
【請求項１１】
前記処理工程のいずれかの最中に、前記燃料電池を約６０℃〜約９０℃の温度に維持することをさらに含む、請求項２に記載の方法。
【請求項１２】
工程i〜iiiを少なくとも２回繰り返すことをさらに含む、請求項２に記載の方法。
【請求項１３】
工程i〜iiiを少なくとも３回繰り返すことをさらに含む、請求項２に記載の方法。
【請求項１４】
燃料が水素であることをさらに含む、請求項２に記載の方法。
【請求項１５】
燃料がメタノールであることをさらに含む、請求項２に記載の方法。
【請求項１６】
請求項２に記載の方法によってコンディショニングされた、膜電極接合体。
【請求項１７】
前記第１の電圧が約０．４ボルトと開放電圧あたりとの間になるように、前記第１の外部負荷が選択される、請求項３に記載の方法。
【請求項１８】
前記第２の電圧が約０．０ボルト〜約０．６ボルトになるように、前記第２の外部負荷が選択される、請求項３に記載の方法。
【請求項１９】
前記第１の電圧が約０．６ボルトで、前記第２の電圧が約０．３ボルトになるように、前記第１の外部負荷及び前記第２の外部負荷が選択される、請求項３に記載の方法。
【請求項２０】
前記第２の外部負荷を、約２分未満である第４の時間取り除く追加工程を含む、請求項３に記載の方法。
【請求項２１】
前記第１の時間が約１５分であり、前記第２の時間が約１分であり、前記第３の時間が約１５分である、請求項１９に記載の方法。
【請求項２２】
前記第１の時間が約５秒〜約１２０秒であり、前記第２の時間が約５秒〜約１２０秒であり、前記第３の時間が約５秒〜約１２０秒である、請求項１９に記載の方法。
【請求項２３】
前記第１の電圧が約０．６ボルトで、前記第２の電圧が約０．３ボルトになるように、前記第１の外部負荷及び前記第２の外部負荷が選択される、請求項２０に記載の方法。
【請求項２４】
前記第１の時間が約１５分であり、前記第２の時間が約１分であり、前記第３の時間が約１５分であり、前記第４の時間が約１分である、請求項２３に記載の方法。
【請求項２５】
前記第１の時間が約５秒〜約１２０秒であり、前記第２の時間が約５秒〜約１２０秒であり、前記第３の時間が約５秒〜約１２０秒であり、前記第４の時間が約５秒〜１２０秒である、請求項２３に記載の方法。
【請求項２６】
請求項１９に記載の方法によってコンディショニングされた、膜電極接合体。
【請求項２７】
前記膜電極接合体が、ポリマー骨格に結合したイオン性の酸性官能基を含有するポリマー、及び必要に応じて延伸ポリテトラフルオロエチレンを含む、請求項２６に記載の膜電極接合体。
【請求項２８】
前記イオン性の酸性官能基が、スルホン酸、スルホンイミド酸及びホスホン酸の群から選択される、請求項２７に記載の膜電極接合体。
【請求項２９】
請求項２０に記載の方法によってコンディショニングされた、膜電極接合体。
【請求項３０】
前記膜電極接合体が、ポリマー骨格に結合したイオン性の酸性官能基を含有するポリマー、及び必要に応じて延伸ポリテトラフルオロエチレンを含む、請求項２９に記載の膜電極接合体。
【請求項３１】
前記イオン性の酸性官能基が、スルホン酸、スルホンイミド酸及びホスホン酸の群から選択される、請求項３０に記載の膜電極接合体。
【請求項３２】
請求項２１に記載の方法によってコンディショニングされた、膜電極接合体。
【請求項３３】
前記膜電極接合体が、ポリマー骨格に結合したイオン性の酸性官能基を含有するポリマー、及び必要に応じて延伸ポリテトラフルオロエチレンを含む、請求項３２に記載の膜電極接合体。
【請求項３４】
前記イオン性の酸性官能基が、スルホン酸、スルホンイミド酸及びホスホン酸の群から選択される、請求項３３に記載の膜電極接合体。
【請求項３５】
請求項２２に記載の方法によってコンディショニングされた、膜電極接合体。
【請求項３６】
前記膜電極接合体が、ポリマー骨格に結合したイオン性の酸性官能基を含有するポリマー、及び必要に応じて延伸ポリテトラフルオロエチレンを含む、請求項３５に記載の膜電極接合体。
【請求項３７】
前記イオン性の酸性官能基が、スルホン酸、スルホンイミド酸及びホスホン酸の群から選択される、請求項３６に記載の膜電極接合体。
【請求項３８】
請求項２３に記載の方法によってコンディショニングされた、膜電極接合体。
【請求項３９】
前記膜電極接合体が、ポリマー骨格に結合したイオン性の酸性官能基を含有するポリマー、及び必要に応じて延伸ポリテトラフルオロエチレンを含む、請求項３８に記載の膜電極接合体。
【請求項４０】
前記イオン性の酸性官能基が、スルホン酸、スルホンイミド酸及びホスホン酸の群から選択される、請求項３９に記載の膜電極接合体。
【請求項４１】
請求項２４に記載の方法によってコンディショニングされた、膜電極接合体。
【請求項４２】
前記膜電極接合体が、ポリマー骨格に結合したイオン性の酸性官能基を含有するポリマー、及び必要に応じて延伸ポリテトラフルオロエチレンを含む、請求項４１に記載の膜電極接合体。
【請求項４３】
前記イオン性の酸性官能基が、スルホン酸、スルホンイミド酸及びホスホン酸の群から選択される、請求項４２に記載の膜電極接合体。
【請求項４４】
請求項２５に記載の方法によってコンディショニングされた、膜電極接合体。
【請求項４５】
前記膜電極接合体が、ポリマー骨格に結合したイオン性の酸性官能基を含有するポリマー、及び必要に応じて延伸ポリテトラフルオロエチレンを含む、請求項４４に記載の膜電極接合体。
【請求項４６】
前記イオン性の酸性官能基が、スルホン酸、スルホンイミド酸及びホスホン酸の群から選択される、請求項４５に記載の膜電極接合体。
【請求項４７】
燃料電池のコンディショニング方法であって、
i．アノードと、カソードと、電解質と、該カソード及びアノードに気体を供給する手段とを含む燃料電池を組み立てる工程と；
ii．約６０℃〜約９０℃の温度にて、該燃料電池の該アノード及び該カソードに、不活性ガスキャリアを用いて液体水を適用する工程と、
iii．約１時間より長い時間、その温度で該電池を保持する工程と
を含む、方法。
【請求項４８】
請求項４７に記載の方法によってコンディショニングされた、膜電極接合体。
【請求項４９】
前記膜電極接合体が、ポリマー骨格に結合したイオン性の酸性官能基を含有するポリマー、及び必要に応じて延伸ポリテトラフルオロエチレンを含む、請求項４８に記載の膜電極接合体。
【請求項５０】
前記イオン性の酸性官能基が、スルホン酸、スルホンイミド酸及びホスホン酸の群から選択される、請求項４９に記載の膜電極接合体。
【請求項５１】
燃料電池の動作方法であって、
i．アノードと、カソードと、それらの間に介在させたポリマー電解質とを含む燃料電池を組み立てる工程と、
ii．慣らし手順を適用する工程と
を含み、該慣らし手順が約４時間未満の９０％慣らし時間を与える、方法。
【請求項５２】
前記９０％慣らし時間が約２時間未満である、請求項５１に記載の方法。
【請求項５３】
前記９０％慣らし時間が約１時間未満である、請求項５２に記載の方法。
【請求項５４】
燃料電池の動作方法であって、
i．アノードと、カソードと、それらの間に介在させたポリマー電解質とを含む燃料電池を組み立てる工程と、
ii．慣らし手順を適用する工程と
を含み、該慣らし手順が約２時間未満の７５％慣らし時間を与える、方法。
【請求項５５】
前記７５％慣らし時間が約１時間未満である、請求項５４に記載の方法。
【請求項５６】
前記７５％慣らし時間が約０．５時間未満である、請求項５５に記載の方法。
【請求項５７】
i．第１の外部負荷を燃料電池に適用して、開放電圧未満の第１の電圧を、約２０分未満である第１の時間生成するための手段と、
ii．該外部負荷を、約２分未満である第２の時間取り除くための手段と、
iii．第２の外部負荷を該燃料電池に適用して、開放電圧未満の第２の電圧を、約２０分未満である第３の時間生成するための手段と
を含む、装置。